(57)【要約】【課題】  増え続ける自動車事故死を少しでも軽減し、また自動車事故におけるシートベルト非着用による事故の深刻化を軽減する一助になるべく、自動車に乗用する者のシートベルト着用の習慣化を図り、また着用の有無が車内はもとより車外からも明らかであるようにすることで、シートベルト着用意識や着用観念を高めることができるシートベルト着用表示装置の提供を課題とする。【解決手段】  シートベルト着用表示装置は、自動車ＭのフロントガラスＦ或いはその付近の一領域に、少なくとも赤色と青色の発光体１１、１２を備えた発光表示器１０を取り付け、運転席と助手席におけるシートベルトの着用の状態を前記発光表示器１０により表示して車外から見える構成とした。【選択図】        図１
2006088965.tif 000002
【特許請求の範囲】
【請求項１】
自動車のフロントガラス或いはその付近の一領域に、少なくとも赤色と青色の発光体を備えた発光表示器を取り付け、運転席と助手席におけるシートベルトの着用の状態を前記発光表示器により表示して車外から見える構成としたことを特徴とするシートベルト着用表示装置。
【請求項２】
運転席でのシートベルトの着用がない場合或いは助手席でのシートベルトの着用がない場合の何れの場合にも赤色発光体を点灯する構成としたことを特徴とする請求項１に記載のシートベルト着用表示装置。
【請求項３】
運転席でのシートベルトの着用と助手席でのシートベルトの着用の両方の着用があったときに青色発光体を点灯し、赤色発光体を消灯する構成としたことを特徴とする請求項１又は２に記載のシートベルト着用表示装置。
【請求項４】
助手席のシートベルトについては、着用の有無を発光体の発光色に反映させないようにする解除スイッチを設けたことを特徴とする請求項１〜３の何れかに記載のシートベルト着用表示装置。
【請求項５】
緊急時等の特別な状態を示すための黄色発光体を発光表示器に備え、青色や赤色の発光に代えて黄色発光体を発光させる黄色発光スイッチを設けたことを特徴とする請求項１〜４の何れかに記載のシートベルト着用表示装置。
【発明の詳細な説明】
【技術分野】
【０００１】
本発明は自動車におけるシートベルト着用表示装置に関する。
【背景技術】
【０００２】
自動車のシートベルトについては、自動車生産工程において１００％の設置が既に守られている。また前記シートベルトの着用に関しては、現在は自動車の車内において運転席のシートベルトの着用サインが表示されるようになっており、運転者に注意を促すようになされている。
【発明の開示】
【発明が解決しようとする課題】
【０００３】
上記のように自動車においてはシートベルトの設置が１００％なされており、また運転席でのシートベルト着用についての着用サインがでるように設備がなされている。
その一方、シートベルトの実際の着用については、十分には守られていない。このため、交通事故発生時における事故の深刻化の問題が解消されず、また日本における各県警交通課でのシートベルトの取り締りは、多数の人員、経費を費やしているのが現状である。
【０００４】
そこで本発明は増え続ける自動車事故死を少しでも軽減し、また自動車事故におけるシートベルト非着用による事故の深刻化を軽減する一助になるべく、自動車に乗用する者のシートベルト着用の習慣化を図り、また着用の有無が車内はもとより車外からも明らかであるようにすることで、シートベルト着用意識や着用観念を高めることができるシートベルト着用表示装置の提供を課題とする。
加えて、助手席におけるシートベルト着用率を上げる一助となることができるシートベルト着用表示装置の提供を課題とする。
そしてまたシートベルト着用に関する啓蒙、注意、警告等を官民一体となって行うことが可能なシートベルト着用表示装置の提供を課題とする。
【課題を解決するための手段】
【０００５】
上記課題を達成するため、本発明のシートベルト着用表示装置は、自動車のフロントガラス或いはその付近の一領域に、少なくとも赤色と青色の発光体を備えた発光表示器を取り付け、運転席と助手席におけるシートベルトの着用の状態を前記発光表示器により表示して車外から見える構成としたことを第１の特徴としている。
なお、ここにおいて青色とは緑色を含む概念である。
また本発明のシートベルト着用表示装置は、上記第１の特徴に加えて、運転席でのシートベルトの着用がない場合或いは助手席でのシートベルトの着用がない場合の何れの場合にも赤色発光体を点灯する構成としたことを第２の特徴としている。
また本発明のシートベルト着用表示装置は、上記第１又は第２の特徴に加えて、運転席でのシートベルトの着用と助手席でのシートベルトの着用の両方の着用があったときに青色発光体を点灯し、赤色発光体を消灯する構成としたことを第３の特徴としている。
また本発明のシートベルト着用表示装置は、上記第１〜第３の何れかの特徴に加えて、助手席のシートベルトについては、着用の有無を発光体の発光色に反映させないようにする解除スイッチを設けたことを第４の特徴としている。
また本発明のシートベルト着用表示装置は、上記第１〜第４の何れかの特徴に加えて、緊急時等の特別な状態を示すための黄色発光体を発光表示器に備え、青色や赤色の発光に代えて黄色の発光体を発光させる黄色発光スイッチを設けたことを第５の特徴としている。
【発明の効果】
【０００６】
請求項１に記載のシートベルト着用表示装置によれば、赤色と青色の発光体を備えた発光表示器が自動車のフロントガラス或いはその付近の一領域に取り付けられる。そしてその発光表示に対して、自動車の運転席及び助手席におけるシートベルト着用の状態が表示され、車外から発光表示器の発光状態を見ることができる。
従って乗用者は自己の自動車におけるシートベルト着用の有無が車外にいる人間にも判ることから、自然とマナーの向上に努めることになる。そして結果的には、乗用者にとってのシートベルト着用の意識が自然と高められ、シートベルト着用の観念も高まることになる。またそれによってシートベルト着用の習慣化が促進される。
勿論、シートベルト着用をうっかり忘れている場合においても、車外の人間により注意を喚起されたりすることで、シートベルト着用率が向上する。
更に発光表示器による発光表示状態は車外の通行人、交通指導員、その他の関係者にも判ることから、外部からの目による効果も加わり、シートベルト着用に対する前記の注意喚起効果の他、啓蒙効果或いは取り締まり効果も大きく、官民一体となってのシートベルト着用率の向上とそれによる事故の軽減を図る上で、大きな効果を発揮することができる。
本発明の装置は、自動車生産工程において、他の配線と共に配線構成することで、簡単、容易に搭載することができる。また既存の自動車に対しても、ワイヤーハーネスのシートベルトライン等を利用して、比較的簡単に後付けすることができる。
【０００７】
また請求項２に記載のシートベルト着用表示装置によれば、上記請求項１の構成による効果に加えて、運転席でのシートベルトの着用がない場合或いは助手席でのシートベルトの着用がない場合の何れの場合にも赤色発光体を点灯する構成としたことで、運転者のみならず助手席に座っている者についても、その両方がシートベルトを着用していなければ発光表示器が赤色となる。そしてその状態が車外から判ることになる。その結果として、運転席及び助手席におけるシートベルト着用率の向上が自然と図られることになり、また助手席におけるシートベルト着用の啓蒙、注意喚起、マナー、習慣化にも大きな効果を期待できる。
また発光表示器が赤色であることを理由として、運転席にいる者は助手席に座っている者に対して、また助手席に座っている者は運転席に座っている者に対して、更に後部座席に座っているものは運転席や助手席に座っている者に対して、それぞれシートベルトの着用を促しやすくなる。
【０００８】
また請求項３に記載のシートベルト着用表示装置によれば、上記請求項１又は２の構成による効果に加えて、運転席でのシートベルトの着用と助手席でのシートベルトの着用の両方の着用があったときに青色発光体を点灯し、赤色発光体を消灯する構成としたことで、運転席や助手席に座っているものは、自らがシートベルトを着用することで、発光表示器の発光を青色にすることができ、これによってシートベルトの着用に関して外部的にもまた内部的にも問題なしと安堵することができる。よって運転席、助手席におけるシートベルト着用の習慣化、マナー化を促進することができる。
【０００９】
また請求項４に記載のシートベルト着用表示装置によれば、上記請求項１〜３の何れかの構成による効果に加えて、助手席のシートベルトについては、着用の有無を発光体の発光色に反映させないようにする解除スイッチを設けたことにより、助手席に人が座っていない場合に発光表示器が赤色を発光したままとなるということをなくし、助手席に人が座っていない場合には、解除スイッチをオンすることで、運転席のシートベルトが着用されるだけで、発光表示器の発光色が正常に赤色から青色に変るようにすることができる。助手席に人が座らない場合は、予め解除スイッチをオンすればよい。
【００１０】
また請求項５に記載のシートベルト着用表示装置によれば、上記請求項１〜４の何れかの構成による効果に加えて、緊急時等の特別な状態を示すための黄色発光体を発光表示器に備え、青色や赤色の発光に代えて黄色発光体を発光させる黄色発光スイッチを設けたことで、救急外来へ急行中であるとか、身障者が座っていてシートベルトが着用できない場合等、特別な場合には黄色発光スイッチをオンして発光表示器の黄色を発光することで、そのような特別の状態を外部に対して表示することも可能となる。
【発明を実施するための最良の形態】
【００１１】
図１は本発明の実施形態を示すシートベルト着用装置の発光表示器を自動車に取り付けた状態を示す正面図、図２はシートベルト着用装置の電気的構成図である。
【００１２】
図１を参照して、自動車Ｍの前面のフロントガラスＦの上部領域に本発明のシートベルト着用表示装置Ａの発光表示器１０が取り付けられている。発光表示器１０はフロントガラスＦの車内側に取り付けるが、フロントガラスＦの外面側に取り付けることも可能である。
発光表示器１０へは、自動車Ｍの内部に配置されたフューズボックスと称されたりする配線管理ボックス２０から配線３０がなされている。
この発光表示器１０は外部から見やすい所にあることが重要であるため、フロントガラスＦに取り付けるようにしている。しかしフロントガラスＦそのものに取り付ける必要はなく、またフロントガラスＦの付近に取り付けてもよい。
【００１３】
前記発光表示器１０には、赤色発光体１１と青色発光体１２と黄色発光体１３とが設けられている。図１においては、各発光体１１、１２、１３が横一列に並んだ状態に発光表示器１０を構成している。しかし必ずしも各発行体１１、１２、１３が横一列に並ぶ必要はなく、例えば各発光体１１、１２、１３が三角形の各頂点に配されたような形状の丸形の発光表示器であってもよく、要するに自動車の形状によく合ったデザインの発光表示器１０であればよい。
【００１４】
前記赤色発光体１１、青色発光体１２、黄色発光体１３は、何れもＬＥＤ（発光ダイオード）で構成することができる。また各発光体１１、１２、１３はＥＬ（エレクトロルミネセンス素子）で構成することができる。勿論、その他の種類の発光体にて各発光体１１、１２、１３を構成することができる。
前記ＥＬで各発光体１１、１２、１３を構成する場合は、発光表示器１０をシート状にして貼り付けた状態に取り付けることも可能である。
前記各発光体１１、１２、１３による発光状態は各色が車外から見ることができるよう取り付けるが、車内からも各発光体１１、１２、１３の発光状態が確認できるようにしている。
【００１５】
図２を参照して、実施形態に係るシートベルト着用表示装置Ａの電気的構成を説明する。
発光表示器１０の赤色発光体１１と青色発光体１２の発光は、運転席シートベルトスイッチ１及び助手席シートベルトスイッチ２のオン或いはオフに従って制御される。
前記運転席シートベルトスイッチ１は、運転席シートベルトが着用されることでオンし、外されることでオフとなるスイッチである。この運転席シートベルトスイッチ１がオンすると、運転席シートベルトリレーＭＲ１が励磁される。そしてこの運転席シートベルトリレーＭＲ１が励磁されると、前記赤色発光体１１の発光、消光を制御する赤常閉接点ＭＲ１−１をオフ（開放）し、また前記青色発光体１２の発光、消光を制御する青常開接点ＭＲ１−２をオン（閉止）する。
同様に前記助手席シートベルトスイッチ２は、助手席シートベルトが着用されることでオンし、外されることでオフとなるスイッチである。この助手席シートベルトスイッチ２がオンすると助手席シートベルトリレーＭＲ２が励磁される。そしてこの助手席シートベルトリレーＭＲ２が励磁されると、前記赤色発光体１１の発光、消光を制御するもう１つの赤常閉接点ＭＲ２−１をオフ（開放）し、また前記青色発光体１２の発光、消光を制御するもう１つの青常開接点ＭＲ２−２をオン（閉止）する。
【００１６】
前記一対の赤常閉接点ＭＲ１−１、ＭＲ２−１は相互に並列に配置され、その何れか一方でもオンの状態にあると、赤色発光体１１が点灯状態となり、両方がオフの状態となることで赤色発光体１１が消灯される。
一方、前記一対の青常開接点ＭＲ１−２、ＭＲ２−２は相互に直列に配置され、その何れか一方がオフ状態にあると、青色発光体１２が消灯状態となり、両方がオンの状態となることで青色発光体１２が点灯される。
【００１７】
前記助手席シートベルトスイッチ２に対して並列に助手席解除スイッチ３が設けられている。この助手席解除スイッチ３をオンすると、助手席シートベルトスイッチ２がオフの状態（助手席シートベルトが着用されていない状態）であっても、助手席シートベルトリレーＭＲ２が励磁状態になされ、よって一方の赤常閉接点ＭＲ２−１がオフにされると共に、一方の青常開接点ＭＲ２−２がオンにされる。
従って助手席解除スイッチ３がオンされた状態では、運転席シートベルトスイッチ１がオンされるか否か（運転席のシートベルトが着用されるか否か）のみで、赤色発光体１１が消灯されるか否か、及び青色発光体１２が点灯されるか否かが決まる。即ち、運転席のシートベルトが着用されると、赤色発光体１１の消灯がなされると共に青色発光体１２の点灯がなされる。
勿論、助手席に人が乗っていない場合においても、助手席のシートベルトを着用状態にしておけば、前記助手席解除スイッチ３をその都度オンして、解除状態にする必要はない。
【００１８】
前記黄色発光体１３に対しては、黄色発光スイッチ４が設けられている。該黄色発光スイッチ４は、電力を赤色発光体１１や青色発光体１２へ供給するか或いは黄色発光体１３へ供給するかの２者選択を行う選択スイッチである。即ち、黄色発光スイッチ４を黄色発光体１３の点灯側の端子１３ａに切換接続すると、黄色発光体１３が点灯し、しかもその黄色発光体１３が点灯している限りは赤色発光体１１や青色発光体１２が点灯することはない。この黄色発光スイッチ１３は、緊急時等の特別な場合にのみ使用されるように、特別なスイッチボックス等に収納しておくことができる。
【００１９】
電力供給端子６の下流に元スイッチ５を設けている。該元スイッチ５は自動車のエンジンがオンすることに連動してオンするスイッチとする。
【００２０】
今、自動車のエンジンがかかると、これに連動して元スイッチ５がオンする。これにより電力がシートベルト着用表示装置Ａに供給される。このとき運転席、助手席のシートベルトの何れかが着用されていなければ、運転席シートベルトスイッチ１又は助手席シートベルトスイッチ２の何れかがオンせず、よって運転席シートベルトリレーＭＲ１、助手席シートベルトリレーＭＲ２を介して、赤常閉接点ＭＲ１−１とＭＲ２−１の何れかがオンの状態を維持するため、赤色発光体１１が点灯する。一方、青常開接点ＭＲ１−２とＭＲ２−２の何れかはオフのままとなり、青色発光体１２は消灯状態となる。
運転席、助手席のシートベルトの両方が着用されると、運転席シートベルトスイッチ１及び助手席シートベルトスイッチ２の何れもがオンし、よって運転席シートベルトリレーＭＲ１、助手席シートベルトリレーＭＲ２を介して、赤常閉接点ＭＲ１−１とＭＲ２−１の何れもがオフするため、赤色発光体１１が消灯する。一方、青常開接点ＭＲ１−２とＭＲ２−２の何れもがオンとなり、青色発光体１２が点灯する。
助手席に人が座っていない場合は、助手席解除スイッチ３をオンすることで、助手席シートベルトリレーＭＲ２が励磁状態となり、赤常閉接点ＭＲ２−１をオフ状態とし、青常開接点ＭＲ２−２をオン状態とする。このため、運転席のシートベルトが着用されるか否かのみによって赤色発光体１１及び青色発光体１２の点灯、消灯が決定され、運転席のシートベルトが着用されない間は赤色発光体１１が点灯状態となり、運転席のシートベルトが着用されると赤色発光体１１が消灯し、代わりに青色発光体１２が点灯する。
更に救急外来へ急行中であるとか、身障者が座っていてシートベルトが着用できない場合等、特別な場合には黄色発光スイッチ４をオンして発光表示器１０の黄色発光体１３を発光することで、そのような特別の状態を外部に対して表示することができる。
【００２１】
上記の実施形態では、運転席シートベルトリレーＭＲ１、助手席シートベルトリレーＭＲ２を電磁リレーとしたが、他の有接点リレーで構成してもよい。また無接点リレーを用いて、運転席シートベルトリレーＭＲ１、接点ＭＲ１−１、接点ＭＲ１−２、助手席シートベルトリレーＭＲ２、接点ＭＲ２−１、ＭＲ２−２に代えてもよい。
要するに本発明の装置は、運転席と助手席の両方のシートベルトが着用されている場合には青色発光体１２を発光させ、運転席と助手席の少なくとも一方のシートベルトが着用されていない場合は赤色発光体１１を発光させるものであるから、それらの条件を満足させる限りにおいて、その電気的構成については、実施形態に示す以外の構成であってもよい。
【図面の簡単な説明】
【００２２】
【図１】本発明の実施形態を示すシートベルト着用表示装置の発光表示器を自動車に取り付けた状態を示す正面図である。
【図２】本発明の実施形態を示すシートベルト着用表示装置の電気的構成図である。
【符号の説明】
【００２３】
１          運転席シートベルトスイッチ
２          助手席シートベルトスイッチ
３          助手席解除スイッチ
４          黄色発光スイッチ
５          元スイッチ
６          電力供給端子
１０        発光表示器
１１        赤色発光体
１２        青色発光体
１３        黄色発光体
２０        配線管理ボックス
３０        配線
Ａ          シートベルト着用表示装置
Ｆ          フロントガラス
Ｍ          自動車
ＭＲ１      運転席シートベルトリレー
ＭＲ２      助手席シートベルトリレー
ＭＲ１−１  赤常閉接点
ＭＲ２−１  赤常閉接点
ＭＲ１−２  青常開接点
ＭＲ２−２  青常開接点
【図１】
2006088965.tif 000003
【図２】
2006088965.tif 000004